(57)【要約】【課題】興趣を向上させると共に、幼児の創造性や集中力等を高めるのに効果があるサウンド絵本を提供する。【解決手段】任意の動物の鳴き声、各種サイレン、メロディー、擬音、あるいはこれらの音の組み合わせを記憶し、これを再生することができる音声記憶・再生ユニット５を絵本本体１に組み込み、サウンド選択兼起動スイッチ９を押すことによって所望の音声を再生できるようにしたサウンド絵本において、前記した起動スイッチ９とは別に、絵本本体１内に回転スイッチ盤１０等を配設し、当該回転スイッチ盤１０等を回転させることによってＯＮ−ＯＦＦを繰り返し、音声出力手段７よりテンポの異なった音声を出力させるようにした。【選択図】図１
0003140142.tif 000002
【実用新案登録請求の範囲】
【請求項１】
任意の動物の鳴き声、各種サイレン、メロディー、擬音、あるいはこれらの音の組み合わせを記憶し、これを再生することができる音声記憶・再生ユニットを絵本本体に組み込み、サウンド選択兼起動スイッチを押すことによって所望の音声を再生できるようにしたサウンド絵本において、前記したサウンド選択兼起動スイッチとは別に、絵本本体内に回転スイッチ盤を配設し、当該回転スイッチ盤を回転させることによってＯＮ−ＯＦＦを繰り返し、これに応じて音声記憶・再生ユニット内の音声出力手段よりテンポの異なった動物の鳴き声、各種サイレン、メロディー、擬音、あるいはこれらの組み合わせ音を出力させるようにしたことを特徴とするサウンド絵本。
【請求項２】
回転スイッチ盤は、非回転のベース部と、このベース部の中心部に回転自在に取付けられる回転ケースとからなり、回転ケースはその内側周縁部に沿って連続した凹凸部が形成され、当該凹凸部に接してＯＮ−ＯＦＦを繰り返すバネスイッチがベース部に設けられていることを特徴とする請求項１記載のサウンド絵本。
【請求項３】
任意の動物の鳴き声、各種サイレン、メロディー、擬音、あるいはこれらの音の組み合わせを記憶し、これを再生することができる音声記憶・再生ユニットを絵本本体に組み込み、サウンド選択兼起動スイッチを押すことによって所望の音声を再生できるようにしたサウンド絵本において、前記したサウンド選択兼起動スイッチとは別に、音センサスイッチ、押しボタンスイッチあるいは光センサスイッチを絵本本体に配設し、当該音センサスイッチ、押しボタンスイッチあるいは光センサスイッチを操作することによってＯＮ−ＯＦＦを繰り返し、これに応じて音声記憶・再生ユニット内の音声出力手段よりテンポの異なった動物の鳴き声、各種サイレン、メロディー、擬音、あるいはこれらの組み合わせ音を出力させるようにしたことを特徴とするサウンド絵本。
【考案の詳細な説明】
【技術分野】
【０００１】
本考案は、絵本に係り、特に幼児向け絵本に動物の鳴き声や、消防車のサイレン、電話の呼び出し音、メロディー等の任意の音声を発する音声記憶・再生ユニットを組み込み、スイッチを操作することによって絵本の内容に応じた音声を出力させるようにしたサウンド絵本に関する。
【背景技術】
【０００２】
従来、絵本本体の任意の箇所に、動物の鳴き声や、各種サイレン、メロディー、擬音等を記憶したＩＣメモリ、及び圧電ブザー等からなる薄型スピーカ、電池電源等を具備した音声記憶・再生ユニットを組み込み、当該ユニットに設けられた起動スイッチを押すことによって絵本の各頁に印刷表示された絵や解説文等に対応した音声や、メロディー等を発生させるようにしたものが知られている。
【０００３】
すなわち、次に示す特許文献１には、複数の音楽、音声等を記憶したＩＣメモリ、圧電スピーカ及びバッテリを基板に設け、これら複数の音楽、音声等に対応する絵や文を表示した複数の紙葉を見開き自在に設け、且つ基板に設けた複数のスイッチを紙葉の端部に沿って配設した音の出る絵本が開示されている。
【０００４】
また、特許文献２には、音声記憶装置、音声発生装置、電源及びスイッチを表表紙又は裏表紙に有する音の出る絵本であって、当該絵本の本文の各頁の指定箇所の下方にあるスイッチが押され、当該絵本の本文の各頁は指定箇所の絵を押すことでこの下方の表表紙又は裏表紙のスイッチが押されるほどに薄いものであり、当該指定箇所の絵に対応した音声が発生するようにした音の出る絵本が開示されている。
【特許文献１】実公平２−１３０３７号公報
【特許文献２】特許第３５８９８７３号公報
【考案の開示】
【考案が解決しようとする課題】
【０００５】
上記したように、絵本本体内に、音声記憶・再生ユニットを組み込み、起動スイッチを押すことによって絵本の各頁内容に応じた、音声等を出力させるようにした音の出る絵本は既に公知である。しかしながら、上記特許文献１、特許文献２に示された音の出る絵本においては、ＩＣメモリに記憶されている音声を出力させるスイッチは一系統のみであって、各頁に対応した音声等を出力させることはできても、メロディー等のテンポには変化がなく、単調な音声の繰り返しによって、暫くすると幼児に飽きらてしまうという問題点があった。
【０００６】
そこで、本考案は、絵本本体に配設するサウンド選択兼起動スイッチとは別に、各種サウンドのテンポを自在に変化させることができる、回転スイッチ盤、あるいは音センサスイッチ、光導電スイッチ等からなる第２のスイッチを絵本本体に組み込んで興趣を向上させ、幼児の創造性や集中力等を高めるのに効果があるサウンド絵本を提供することを目的とするものである。
【課題を解決するための手段】
【０００７】
上記目的を達成するための本考案の構成を詳述すれば、請求項１に係る考案は、任意の動物の鳴き声、各種サイレン、メロディー、擬音、あるいはこれらの音の組み合わせを記憶し、これを再生することができる音声記憶・再生ユニットを絵本本体に組み込み、サウンド選択兼起動スイッチを押すことによって所望の音声を再生できるようにしたサウンド絵本において、前記したサウンド選択兼起動スイッチとは別に、絵本本体内に回転スイッチ盤を配設し、当該回転スイッチ盤を回転させることによってＯＮ−ＯＦＦを繰り返し、これに応じて音声記憶・再生ユニット内の音声出力手段よりテンポの異なった動物の鳴き声、各種サイレン、メロディー、擬音、あるいはこれらの組み合わせ音を出力させるようにしたことを特徴とするサウンド絵本である。
【０００８】
また、請求項２に係る考案は、前記回転スイッチ盤は、非回転のベース部と、このベース部の中心部に回転自在に取付けられる回転ケースとからなり、回転ケースはその内側周縁部に沿って連続した凹凸部が形成され、当該凹凸部に接してＯＮ−ＯＦＦを繰り返すバネスイッチがベース部に設けられていることを特徴とする請求項１記載のサウンド絵本である。
【０００９】
さらに、請求項３に係る考案は、任意の動物の鳴き声、各種サイレン、メロディー、擬音、あるいはこれらの音の組み合わせを記憶し、これを再生することができる音声記憶・再生ユニットを絵本本体に組み込み、サウンド選択兼起動スイッチを押すことによって所望の音声を再生できるようにしたサウンド絵本において、前記したサウンド選択兼起動スイッチとは別に、音センサスイッチ、押しボタンスイッチあるいは光センサスイッチを絵本本体に配設し、当該音センサスイッチ、押しボタンスイッチあるいは光センサスイッチを操作することによってＯＮ−ＯＦＦを繰り返し、これに応じて音声記憶・再生ユニット内の音声出力手段よりテンポの異なった動物の鳴き声、各種サイレン、メロディー、擬音、あるいはこれらの組み合わせ音を出力させるようにしたことを特徴とするサウンド絵本である。
【考案の効果】
【００１０】
本考案はこのように、通常のサウンド選択兼起動スイッチとは別に、第２のスイッチを絵本本体に設けて、音声記憶・再生ユニットにおけるＩＣメモリに記憶されている動物の鳴き声や、各種サイレン、メロディー、擬音、あるいはこれらの組み合わせ音のテンポを変化させて音声出力手段より出力させるようにしたものであるから、興趣感が向上して幼児の興味をこれまでより長く惹き付けることができる。特に、第２のスイッチを回転スイッチ盤とした場合には、幼児の指先にも刺激が加わり知育玩具としての機能をも併せ有するものである。
【考案を実施するための最良の形態】
【００１１】
以下、本考案に係るサウンド絵本の具体的構成を図示の実施形態に基づき詳細に説明する。
【００１２】
図１は本考案に係るサウンド絵本の一実施形態を示す斜視図、図２は絵本本体内に組み込む音声記憶・再生装置のブロック図、図３は回転スイッチ盤の回転ケース内側を示す斜視図、図４は回転スイッチ盤のバネスイッチが設けられた非回転のベース部を示す斜視図である。
【００１３】
図中１は絵本本体を示し、当該絵本本体１は折れ線２を介して折り曲げが可能なように形成された比較的厚手のボール紙等からなる表表紙及び裏表紙をなすカバー体３と、このカバー体３の内部に見開き自在に配設した厚紙等で構成される紙葉部４とからなり、当該紙葉部４をなす各紙葉表面にはテーマに沿った各種絵や文章等が印刷表示されている。
【００１４】
紙葉部４の縦方向寸法はカバー体３の縦方向寸法より短くなっていて、紙葉部４の下端には空所部が形成されるようになっており、当該空所部に音声記憶・再生ユニット５がセットされる。
【００１５】
音声記憶・再生ユニット５は合成樹脂製のケーシング１７内に、ＩＣメモリ６、圧電ブザー等からなる薄型形態の音声出力手段７、電池電源８及びＩＣメモリ６に記憶されている複数種類の音声に対応する数のサウンド選択兼起動スイッチ９が設けられており、当該複数個のサウンド選択兼起動スイッチ９は、操作し易いように合成樹脂製ケーシング１７の表面に並設されている。
【００１６】
サウンド選択兼起動スイッチ９は、特に図示しないがプリント基板上に形成された櫛歯状のスイッチパターンや渦巻き状のスイッチパターンが好適に用いられ、サウンド選択兼起動スイッチ９が下方に押されると、当該スイッチの下面に設けられた導電性ゴムが前記スイッチパターンに接触してＯＮ状態となり、プリント基板上に固定されたＩＣメモリ６に信号が伝わり、これによって所定の選択されたメロディー等が音声出力手段７より奏出される。
【００１７】
本考案はこのような構成の音声記憶・再生ユニット５に、前記したサウンド選択兼起動スイッチ９とは別に、回転スイッチ盤１０を接続し、当該回転スイッチ盤１０を回転させることによってＯＮ−ＯＦＦを繰り返すと、この信号がＩＣメモリ６に供給されて、音声出力手段７よりテンポの異なった動物の鳴き声、各種サイレン、メロディー、擬音、あるいはこれらの組み合わせ音が出力されるようにしたものである。
【００１８】
回転スイッチ盤１０は絵本本体１をなすカバー体３の内側適宜位置に固定される非回転のベース部１１と、このベース部１１の中心部１８に回転自在に取付けられる回転ケース１２とからなり、回転ケース１２はその内側周縁部に沿って連続した凹凸部１３が形成され、当該凹凸部１３に接してＯＮ−ＯＦＦを繰り返すバネスイッチ１４がベース部１１に設けられている。なお、回転ケース１２の表面には、幼児が指をあてがって操作し易いように複数個の凹所１５を凹設してある。
【００１９】
ＩＣメモリ６には、回転スイッチ盤１０から送られてくるＯＮ−ＯＦＦ信号の回数又はスピードに応じてメロディー等のテンポが変化するようにプログラミングしてあり、例えば、サウンド選択兼起動スイッチ９を１回押してから回転スイッチ盤１０を廻すと、当該回転速度に比例してテンポが変化したメロディー等を出力させることができる。
【００２０】
この回転スイッチ盤１０は絵本のストーリー等に応じて絵本本体１内の任意の位置に配設することが可能であるが、回転スイッチ盤１０のＯＮ−ＯＦＦ信号をプリント配線基板内のＩＣメモリ６に送るためのリード線１６は絵本本体１内に配線しなければならず、その距離はなるべく短い方が好ましいので回転スイッチ盤１０は音声記憶・再生ユニット５の近傍に付設するのがより好ましい。
【００２１】
その他、図中の１９は電池電源のスイッチ、２０はカバー体３に開けた通孔であり、前記回転スイッチ盤１０の付設位置に対応する箇所に穿設してある。
【００２２】
なお、ＩＣメモリ６にＯＮ−ＯＦＦ信号を供給するスイッチとして前記した実施例では回転スイッチ盤１０を例示したが、本考案の実施にあたっては、これ以外にも、光導電素子を用いた光センサスイッチや、一定周波数の音を感知してＯＮ−ＯＦＦ信号を出力する音センサスイッチ、あるいは通常の押しボタンスイッチを絵本本体に配設して、当該音センサスイッチ、押しボタンスイッチあるいは光センサスイッチを操作することによってＯＮ−ＯＦＦを繰り返し、これに応じて音声記憶・再生ユニット５内の音声出力手段７よりテンポの異なった動物の鳴き声、各種サイレン、メロディー、擬音、あるいはこれらの組み合わせ音を出力させることもできる。
【００２３】
本考案はこのように、絵本本体に配設するサウンド選択兼起動スイッチとは別に、各種サウンドのテンポを自在に変化させることができる、回転スイッチ盤、あるいは音センサスイッチ、光導電スイッチ等からなる第２のスイッチを絵本本体に組み込んだものであり、これによって幼児の興味を高め、自らの操作によってメロディー等のテンポを変化させることができるのでこれまでより一層興趣に富んだサウンド絵本を提供することができるものである。
【図面の簡単な説明】
【００２４】
【図１】本考案に係るサウンド絵本の一実施形態を示す斜視図である。
【図２】絵本本体内に組み込む音声記憶・再生装置のブロック図である。
【図３】回転スイッチ盤の回転ケース内側を示す斜視図である。
【図４】回転スイッチ盤のバネスイッチが設けられた非回転のベース部を示す斜視図である。
【符号の説明】
【００２５】
１：絵本本体
２：折れ線
３：カバー体
４：紙葉部
５：音声記憶・再生ユニット
６：ＩＣメモリ
７：音声出力手段
８：電池電源
９：サウンド選択兼起動スイッチ
１０：回転スイッチ盤
１１：ベース部
１２：回転ケース
１３：凹凸部
１４：バネスイッチ
１５：凹所
１６：リード線
１７：合成樹脂製ケーシング
１８：中心部
１９：スイッチ
２０：通孔
【図１】
0003140142.tif 000003
【図２】
0003140142.tif 000004
【図３】
0003140142.tif 000005
【図４】
0003140142.tif 000006